(57)【要約】【課題】  鏡にて碍子の裏側が損傷しているか否かを確認後、碍子の裏側の損傷状況を容易にかつ正確に記録することができる活線用点検ミラーの提供。【解決手段】  操作棒２と、操作棒２の先端部に設けられる鏡３と、鏡３の裏側に着脱可能に設けられるビデオカメラ４とを備える。操作棒２は、基端側から先端側になるに従い順次細くなる複数本の筒部材５からなる。各筒部材５は、基端側の筒部材５に先端側の筒部材５が伸縮可能に差し込まれており、継手部材７にて任意の伸縮位置で固定できる。鏡３は、先端部に貫通穴２２が形成されており、最も先端側の筒部材５の先端部に回動可能に設けられると共に、任意の位置で停止可能とされる。ビデオカメラ４は、取付状態において、ビデオカメラ４の撮像光が鏡３の貫通穴２２を通過する位置とされる。【選択図】      図２
0003156552.tif 000002
【実用新案登録請求の範囲】
【請求項１】
絶縁性材料から形成された操作棒と、この操作棒の先端部に設けられる鏡とを備える活線用点検ミラーであって、
前記操作棒は、基端側から先端側になるにしたがい順次細くなる複数本の筒部材からなり、基端側の筒部材に先端側の筒部材が伸縮可能に差し込まれ、隣接する内外の筒部材が、基端側の筒部材の先端部に設けられ先端側の筒部材の外周面を緊縛する継手部材によって任意の伸縮位置において固定解除可能とされ、
前記鏡は、先端に位置する筒部材の先端部に取り付けられて、鏡面が前記操作棒の基端側を向き、前記操作棒の軸と直交する面上において回動すると共に、任意の位置で停止するものであり、
この鏡には、鏡面の一部を貫通して裏面にまで貫通する貫通穴が形成されると共に、前記鏡の裏面にビデオカメラが配置され、該ビデオカメラは、ビデオカメラの撮像光が、前記鏡の貫通穴を通過する位置に着脱可能に装着されてなる
ことを特徴とする活線用点検ミラー。
【考案の詳細な説明】
【技術分野】
【０００１】
本考案は、碍子など充電部を点検する際に用いられる活線用点検ミラーに関するものである。
【背景技術】
【０００２】
従来、直接目視できない碍子の裏側を点検する際には、伸縮可能な棒材とこの棒材の先端部に設けられる鏡とを備える点検ミラーを用いていた。具体的には、作業員は、点検ミラーの鏡に映った碍子の裏側を視認して、損傷している場合には、損傷状況をメモやスケッチしていた。
【考案の概要】
【考案が解決しようとする課題】
【０００３】
しかしながら、碍子の裏側の損傷状況をメモやスケッチするのは、手間がかかり効率が良くない。また、碍子の裏側の損傷状況を示したメモやスケッチは、人によって損傷状況の示し方が異なったり、間違ったりする場合がある。従って、碍子の裏側の損傷状況を正確に記録することができず、補修作業を円滑に行うことができないおそれがあった。
【０００４】
本考案が解決しようとする課題は、鏡にて碍子の裏側が損傷しているか否かを確認後、碍子の裏側の損傷状況を容易にかつ正確に記録することができる活線用点検ミラーを提供することにある。
【課題を解決するための手段】
【０００５】
本考案は、前記課題を解決するためになされたもので、請求項１に記載の考案は、絶縁性材料から形成された操作棒と、この操作棒の先端部に設けられる鏡とを備える活線用点検ミラーであって、前記操作棒は、基端側から先端側になるにしたがい順次細くなる複数本の筒部材からなり、基端側の筒部材に先端側の筒部材が伸縮可能に差し込まれ、隣接する内外の筒部材が、基端側の筒部材の先端部に設けられ先端側の筒部材の外周面を緊縛する継手部材によって任意の伸縮位置において固定解除可能とされ、前記鏡は、先端に位置する筒部材の先端部に取り付けられて、鏡面が前記操作棒の基端側を向き、前記操作棒の軸と直交する面上において回動すると共に、任意の位置で停止するものであり、この鏡には、鏡面の一部を貫通して裏面にまで貫通する貫通穴が形成されると共に、前記鏡の裏面にビデオカメラが配置され、該ビデオカメラは、ビデオカメラの撮像光が、前記鏡の貫通穴を通過する位置に着脱可能に装着されてなることを特徴とする活線用点検ミラーである。
【考案の効果】
【０００６】
本考案の活線用点検ミラーによれば、鏡にて碍子の裏側が損傷しているか否かを確認後、鏡の裏側に配置されたビデオカメラで、鏡に形成された貫通穴から碍子の裏側の損傷状況を撮影できるため、碍子の裏側の損傷状況を容易にかつ正確に記録することができる。また、本考案の活線用点検ミラーに設けられるビデオカメラは着脱可能であるため、撮影時に取り付けて使用することができる。すなわち、ビデオカメラを装着していない状態で鏡を用いて碍子の裏側の状況を確認し、損傷している場合には、ビデオカメラを装着して、損傷状況を撮影することができる。
【図面の簡単な説明】
【０００７】
【図１】本考案の活線用点検ミラーの実施例１を示す右側面図である。
【図２】図１の活線用点検ミラーの先端部を基端側から見た斜視図である。
【図３】図１の活線用点検ミラーの先端部を先端側から見た斜視図である。
【図４】図１の活線用点検ミラーの使用状態を示す斜視図である。
【図５】本考案の活線用点検ミラーの実施例２を示す図であり、先端部を基端側から見た斜視図である。
【図６】図５の活線用点検ミラーであり、先端部を先端側から見た斜視図である。
【考案を実施するための形態】
【０００８】
以下、本考案の活線用点検ミラーについて、図面に基づき詳細に説明する。
【実施例１】
【０００９】
図１から図４は、本考案の活線用点検ミラーの実施例１を示す図であり、図１は側面図、図２は先端部を基端側から見た斜視図、図３は先端部を先端側から見た斜視図、図４は使用状態を示す斜視図である。本実施例の活線用点検ミラー１は、絶縁性材料から形成された操作棒２と、操作棒２の先端部に設けられる鏡３と、鏡３の裏側に配置されるビデオカメラ４とを備える。
【００１０】
操作棒２は、六本の円筒状の筒部材５から構成されており、各筒部材５が基端側から先端側になるに従い順次細くなるように形成されている。先端から数えて二本目の筒部材５Ａと三本目の筒部材５Ｂとを例にとって説明すると、筒部材５Ａの外径が筒部材５Ｂの内径よりも若干小さく形成されており、筒部材５Ａが筒部材５Ｂに伸縮可能に差し込まれている。このようにして、隣接する内外の筒部材５，５は、先端側の筒部材５の外径が基端側の筒部材５の内径よりも若干小さく形成されており、基端側の筒部材５に先端側の筒部材５が伸縮可能に差し込まれている。図１に示すように、最も基端側の筒部材５の下端部には、キャップ６が固定されている。なお、各筒部材５は、たとえば、絶縁性を有するＦＲＰ製とされる。
【００１１】
隣接する内外の筒部材５，５は、プラスチックなどから形成される継手部材７によって連結されている。継手部材７は、継手部材本体８と操作レバー９とを備える。継手部材本体８は、周方向の一部が開放された略円筒状に形成されており、軸方向略中央において開放部の側から径方向に切欠き１０が形成されている。継手部材本体８は、切欠き１０により上下二つに区分されており、上側の筒によって可撓筒部１１が形成され、下側の筒によって緊締筒部１２が形成されている。
【００１２】
可撓筒部１１の開放両端部には、軸方向と直交するように延出して操作片１３が形成されている。操作片１３は、略矩形板状とされており、一方の操作片１３の外面には、軸方向に沿って断面略台形状の係合溝１４が形成されている。緊締筒部１２の開放両端部にも、可撓筒部１１と同様にして、軸方向と直交するように延出して略矩形板状の緊締片１５が形成されている。緊締片１５，１５間には、それらを架け渡すようにして締付部材１６が設けられる。
【００１３】
操作レバー９には、操作片１３に形成された係合溝１４と係合可能な係合部１７が形成されている。そして、操作レバー９は、操作片１３の係合溝１４に係合部１７が係合された状態で、操作レバー９を貫通して操作片１３，１３間に軸部材１８が架け渡されることで、操作片１３に取り付けられる。このようにして、操作レバー９は、操作片１３に回動可能に設けられる。
【００１４】
操作片１３の係合溝１４に操作レバー９の係合部１７が係合された状態では、軸部材１８によって、操作片１３，１３同士がそれ以上離間しないように拘束されている。従って、操作レバー９を回動させて、操作レバー９の係合部１７を操作片１３の係合溝１４から操作片１３の先端部外面１９に乗り上げさせることで、操作片１３，１３同士を近接させることができる。その状態から、操作レバー９を回動させて、操作レバー９の係合部１７を操作片１３の係合溝１４に係合させることで、操作片１３，１３同士の間隔を離隔させることができる。
【００１５】
継手部材７Ａは、外側の筒部材５Ｂと内側の筒部材５Ａとの内、外側の筒部材５Ｂの先端部に設けられる。具体的には、継手部材７Ａの緊締筒部１２Ａに外側の筒部材５Ｂの先端部を差し込んだ状態で、緊締片１５Ａ，１５Ａ間を架け渡すように設けられる締付部材１６Ａで緊締片１５Ａ，１５Ａ間の間隔を狭めて筒部材５Ｂの外周面を締め付けることで、外側の筒部材５Ｂの先端部に継手部材７Ａが取り付けられる。外側の筒部材５Ｂに継手部材７Ａが取り付けられた状態では、内側の筒部材５Ａは、継手部材７Ａの可撓筒部１１Ａを貫通している。
【００１６】
このようにして、継手部材７は、隣接する内外の筒部材５，５において、基端側の筒部材５の先端部に設けられる。すなわち、継手部材７は、最も先端側の筒部材５を除いた各筒部材５の先端部に設けられる。そして、隣接する内外の筒部材５，５において先端側の筒部材５は、基端側の筒部材５に伸縮可能に差し込まれると共に、継手部材７の可撓筒部１１を貫通している。
【００１７】
以上のような構成であるので、隣接する内外の筒部材５，５は、任意の伸縮位置において、継手部材７の可撓筒部１１を先端側の筒部材５の外周面に緊縛させることで固定される。緊縛させるには、操作レバー９を回動させて、操作レバー９の係合部１７を操作片１３の係合溝１４から操作片１３の先端部外面１９に乗り上げさせ、操作片１３，１３同士を近接させればよい。隣接する内外の筒部材５，５の固定は、操作レバー９を回動させて、操作レバー９の係合部１７を操作片１３の係合溝１４に係合させ、操作片１３，１３同士の間隔を離隔させることで解除される。
【００１８】
鏡３は、プラスチック製のケース２０に、たとえば凹面鏡である略矩形板状の鏡本体２１が保持されて構成されている。鏡３には、鏡面の一部を貫通して裏面にまで貫通する貫通穴２２が形成されている。本実施例では、鏡本体２１の先端略中央に円形の貫通穴２３が形成されると共に、この貫通穴２３と対応するようケース２０に略矩形状の貫通穴２４が形成されている。
【００１９】
ケース２０の裏側には、左右に離隔して側面視略台形状の突起部２５が形成されており、この突起部２５，２５間に略Ｌ字板状のアーム２６の先端部が配置され、アーム２６を貫通するようにして突起部２５，２５間を架け渡すようにボルト２７がねじ込まれることで、アーム２６が固定される。アーム２６の基端部は、最も先端側の筒部材５の先端部に固定されるヘッド２８に回動可能に設けられる。具体的には、ヘッド２８の先端に形成されたアーム２６の差込み部２９にアーム２６の基端部が差し込まれ、アーム２６を貫通するようにしてヘッド２８に軸３０が設けられることで、アーム２６が軸３０回りに回動可能とされる。
【００２０】
このようにして、鏡３は、最も先端側に位置する筒部材５の先端部に、鏡面が基端側向きに向けて取り付けられる。そして、鏡３は、操作棒２の軸と直交する面上において回動可能とされると共に、任意の位置で停止可能とされる。すなわち、鏡３の角度を調整することができる。
【００２１】
ビデオカメラ４は、アーム２６に固定される取付部材３１に設置されて、鏡３の裏側に配置される。取付部材３１は、アーム２６への固定片３２と、この固定片３２に設けられる土台３３とを備える。固定片３２は、アーム２６に上方へ延出するように設けられる略矩形板状の延出部３４の上端部に、略矩形板状の土台設置部３５が形成されて構成されている。図示例では、固定片３２のアーム２６への取り付けは、固定片３２の延出部３４の下端部がアーム２６に重ね合わされた状態で、それらを貫通するようにボルト３６が設けられた後にナット３７で締め付けられてなされる。土台３３は、前端部に断面略Ｔ字状の被係合部３８が形成されており、固定片３２の土台設置部３５にボルト３９で固定される。
【００２２】
ビデオカメラ４には、土台３３に形成された被係合部３８への係合部材４０が設けられる。係合部材４０は、略矩形板状の垂直片４１の左右両端部に、後方へ延出して略矩形板状の後方延出片４２が形成され、この後方延出片４２の後端部に内方へ延出して略矩形板状の内方延出片４３が形成されて構成されている。係合部材４０の下端部は、下方へ行くに従って前方へ傾斜して形成されており、貫通穴が形成されている。係合部材４０のビデオカメラ４への取り付けは、ビデオカメラ４の底部に係合部材４０の垂直片４１の前面を重ね合わせた状態で、係合部材４０の垂直片４１を介して、ビデオカメラ４の底部にボルトをねじ込むことでなされる。その際、係合部材４０の垂直片４１とビデオカメラ４との間には、略矩形状のゴム製の板材４４が設けられる。
【００２３】
係合部材４０が固定されたビデオカメラ４は、その係合部材４０を土台３３に形成された被係合部３８に、上方からスライドさせることで、土台３３に係合される。そして、係合部材４０の下端部に形成された貫通穴に、土台３３に形成された穴から前方へ突出した棒材４５を貫通させることで、係合部材４０が抜けるのが防止される。棒材４５は、土台３３の穴から出没可能とされており、土台３３の穴から突出するように付勢されている。前述したように、係合部材４０の下端部は傾斜しているため、係合部材４０を土台３３の被係合部３８にスライドさせて係合させることで、係合部材４０の下端部が棒材４５に接触して棒材４５が土台３３内に一旦沈み、係合部材４０の下端部に形成された貫通穴に棒材４５が貫通される。
【００２４】
このようにしてビデオカメラ４が土台３３に設置されることで、ビデオカメラ４は、鏡３の裏側に配置される。その際、ビデオカメラ４は、鏡３に形成された貫通穴２２をビデオカメラ４の撮像光が通過する位置とされる。すなわち、ケース２０に形成された貫通穴２４に、ビデオカメラ４のレンズ部４６が対応している。
【００２５】
ビデオカメラ４を取り外すには、棒材４５を土台３３内に収容した後、係合部材４０と被係合部３８との係合を外す。具体的には、右側から土台３３に、右側へ付勢されかつ進退可能に棒材操作片４７が差し込まれており、この棒材操作片４７を押し込むことで、棒材４５が土台３３内に収容される。その状態において、係合部材４０を上方へスライドさせて係合を外せばよい。なお、土台３３の右側面には、棒材４５の土台３３内への収容を防止するストッパー４８が上下方向にスライド可能に設けられている。ストッパー４８は、略長方形状の板状部４９の一面において、長さ方向両端部に突出部５０が形成されて構成されている。従って、下方へストッパー４８をスライドさせて、土台３３の右側面と棒材操作片４７との間に、ストッパー４８の一方の突出部５０を配置することで、棒材操作片４７の押し込みが防止され、ひいては棒材４５の土台３３内への収容が防止される。このように、ビデオカメラ４は、取付部材３１に着脱可能に装着される。
【００２６】
次に、本実施例の活線用点検ミラー１の使用について説明する。活線用点検ミラー１は、たとえば図４に示すように、鉄塔５１に登った使用者５２が、鉄塔５１の電線５３に設けられた碍子５４の裏側を点検する際に使用される。
【００２７】
点検する際には、まず、ビデオカメラ４が取り付けられていない状態で、操作棒２の先端部に設けられた鏡３を用いて、碍子５４の裏側が損傷しているか否かを確認する。そして、損傷している場合には、ビデオカメラ４を取付部材３１に固定して、損傷箇所を撮影する。活線用点検ミラー１は、使用しない場合、基端側の筒部材５内に先端側の筒部材５を収容することにより、すべての筒部材５を最も基端側の筒部材５内に収容して縮める。また、鏡３は、折り畳まれる。このようにして、活線用点検ミラー１は、コンパクトにできるため、収納する場所をとらない。
【実施例２】
【００２８】
図５および図６は、本考案の活線用点検ミラーの実施例２を示す図であり、図５は先端部を基端側から見た斜視図、図６は先端部を先端側から見た斜視図である。本実施例２の活線用点検ミラー１も、基本的には前記実施例１と同様の構成である。そこで、以下においては、両者の異なる点を中心に説明し、対応する箇所には同一の符号を付して説明する。
【００２９】
前記実施例１では、鏡本体２１の先端略中央に円形の貫通穴２３が形成されると共に、この貫通穴２３と対応するようケース２０に略矩形状の貫通穴２４が形成されたが、本実施例２では、鏡本体２１の先端右側に円形の貫通穴２３が形成されると共に、この貫通穴２３と対応するようケース２０に略矩形状の貫通穴２４が形成されている。すなわち、鏡３の先端右側に、貫通穴２２が形成されている。
【００３０】
また、前記実施例１では、取付部材３１の固定片３２は、アーム２６に上方へ延出するように設けられる略矩形板状の延出部３４の上端部に、略矩形板状の土台設置部３５が形成されて構成されたが、本実施例２では、取付部材３１の固定片３２は、アーム２６に設けられる略矩形板状の第一板部５５の上端部に、右方へ延出して略矩形板状の第二板部５６が形成され、この第二板部５６の右端部に上方へ延出して略矩形板状の第三板部５７が形成され、この第三板部５７の上端部に略矩形板状の土台設置部３５が形成されて構成されている。
【００３１】
このように取付部材３１の固定片３２が形成されているため、鏡３の裏側においてビデオカメラ４が右側に配置される。その際、ケース２０に形成された貫通穴２４に、ビデオカメラ４のレンズ部４６が対応している。
【００３２】
前記各実施例の活線用点検ミラー１によれば、鏡３にて碍子５４の裏側が損傷しているか否かを確認後、鏡３の裏側に配置されたビデオカメラ４で、鏡３に形成された貫通穴２２から碍子５４の裏側の損傷状況を撮影できるため、碍子５４の裏側の損傷状況を容易にかつ正確に記録することができる。ビデオカメラ４による撮影は、碍子５４が損傷している場合に行えばよい。従って、ビデオカメラ４が着脱可能とされ、ビデオカメラ４を装着していない状態で鏡３を用いて碍子５４の裏側の状況を確認し、損傷している場合にビデオカメラ４を装着して、損傷状況を撮影することができる。なお、撮影時には、ビデオカメラ４のモニタ５８を見ながら撮影することができる。
【００３３】
前記各実施例の場合、鏡３が凹面鏡とされているために映す範囲が小さく、その範囲とビデオカメラ４で撮影可能な範囲とのズレが小さくなる。従って、ビデオカメラ４での撮影が容易に行える。また、凹面鏡は、物を拡大して映すことができるため、より遠くの碍子５４を鏡３に映して点検することができる。ところで、前記実施例２では、ビデオカメラ４が、鏡３の裏側において右側に配置されているため、撮影時にビデオカメラ４のモニタ５８が見やすくなっている。
【００３４】
本考案の活線用点検ミラーは、前記各実施例に限らず、適宜変更可能である。たとえば、前記各実施例では、操作棒２は、六本の筒部材５から構成されていたが、これに限定されるわけではなく、複数本の筒部材５から構成されていればよい。また、筒部材５は、円筒状に限定されるわけではなく、たとえば断面矩形状の筒状でもよい。
【符号の説明】
【００３５】
１  活線用点検ミラー
２  操作棒
３  鏡
４  ビデオカメラ
５  筒部材
７  継手部材
２２  貫通穴
【図１】
0003156552.tif 000003
【図２】
0003156552.tif 000004
【図３】
0003156552.tif 000005
【図４】
0003156552.tif 000006
【図５】
0003156552.tif 000007
【図６】
0003156552.tif 000008